(57)【要約】【課題】家庭用のモップの他に、オフィスや工場等で使用される大型の業務用のモップ等の清掃用品に付着したごみを簡単に取り除くことができる、取り扱いやすいごみとり器を提供する。【解決手段】清掃用品に付着したごみを取り除くごみとり器１０であって、平坦状に形成され、ごみを吸い込む吸い込み口１１が形成された主パネル１２と、該主パネル１２の裏面に、該主パネルとは別部品として、前記吸い込み口を囲む配置に、脱着可能に取り付けられたごみ収納ボックスと、該ごみ収納ボックスに連通して設けられ、電気掃除機の吸引ホースに接続される接続パイプ２０とを備える。【選択図】図１
2008154826.tif 000002
【特許請求の範囲】
【請求項１】
清掃用品に付着したごみを取り除くごみとり器であって、
平坦状に形成され、ごみを吸い込む吸い込み口が形成された主パネルと、
該主パネルの裏面に、該主パネルとは別部品として、前記吸い込み口を囲む配置に、脱着可能に取り付けられたごみ収納ボックスと、
該ごみ収納ボックスに連通して設けられ、電気掃除機の吸引ホースに接続される接続パイプとを備えていることを特徴とするごみとり器。
【請求項２】
前記ごみとり器の主パネルとごみ収納ボックスと接続パイプとが、移動用のキャスターが取り付けられた下部枠に装着され、
該下部枠の上部に、前記主パネルと離間した配置に電気掃除機を搭載する上部枠が取り付けられていることを特徴とする請求項１記載のごみとり器。
【請求項３】
前記吸い込み口は、前記主パネルの前後方向を長手方向とするスリット状に開口して設けられていることを特徴とする請求項１または２記載のごみとり器。
【請求項４】
前記吸い込み口は、前記主パネルの裏面にスライド可能に取り付けられたスライド板により、開口度が可変に設けられていることを特徴とする請求項３記載のごみとり器。
【請求項５】
前記吸い込み口に、脱着可能に該吸い込み口の開口度を調節する遮蔽板が装着されていることを特徴とする請求項３記載のごみとり器。
【請求項６】
前記主パネルの両側縁の一方または双方に、補助パネルが取り付けられていることを特徴とする請求項１〜５のいずれか一項記載のごみとり器。
【請求項７】
前記補助パネルが、前記主パネルに回動可能に取り付けられていることを特徴とする請求項６記載のごみとり器。
【請求項８】
前記主パネルの前部に、手前側が低位となるスロープを形成する補助パネルが取り付けられていることを特徴とする請求項１〜７のいずれか一項記載のごみとり器。
【請求項９】
前記接続パイプが、前記主パネルの上面に取り付けられていることを特徴とする請求項１〜８のいずれか一項記載のごみとり器。
【請求項１０】
前記接続パイプが、前記ごみ収納ボックスの側面に取り付けられていることを特徴とする請求項１〜８のいずれか一項記載のごみとり器。
【請求項１１】
前記主パネルに、ごみとり器を持ち運び込みする取っ手が、主パネルを起立させた状態で支持するスタンド兼用として取り付けられていることを特徴とする請求項１〜１０のいずれか一項記載のごみとり器。
【発明の詳細な説明】
【技術分野】
【０００１】
本発明は、電気掃除機を利用してモップ等の清掃用品に付着したごみを取り除くごみとり器に関する。
【背景技術】
【０００２】
本出願人は、先に、室内フロアの清掃等に用いられるモップ等の清掃用品に付着したごみを簡単に取り除くことができるごみとり器について提案した（特許文献１、２参照）。このごみとり器は、ごみとり器本体の上面をモップを滑らせる傾斜面とし、この傾斜面にスリット状の吸い込み口を設け、ごみとり器本体をごみを吸引する容器状に形成してごみとり器本体に電気掃除機を接続するように構成されている。このごみとり器によれば、モップを傾斜面上で滑らせるようにすることにより、吸い込み口からモップに付着したごみを吸引してモップをきれいにすることができる。
【０００３】
このごみとり器は、ごみとり器本体の上面を傾斜面とすることによってモップを滑らせやすくし、吸い込み口をスリット状に形成して電気掃除機による吸引力を集中的に作用させることによって、モップにからみついているごみを確実に取り除くことを可能とし、モップを簡単にきれいにすることによって、室内等のクリーニングを効率的に行うことを可能にしたものである。
【特許文献１】特開２００３−６１８６９号公報
【特許文献２】特開２００４−８１７８１号公報
【発明の開示】
【発明が解決しようとする課題】
【０００４】
しかしながら、上述した従来のごみとり器は家庭で使用する小型のモップ等の清掃用品であれば簡単にクリーニングできるのであるが、オフィスや工場等で用いられている大型のモップを清掃する場合は、モップを滑らせて動かすスペースが狭く、効率的にごみを取り除くことができないという問題があった。
また、従来のごみとり器では、モップを滑らせる面を傾斜面としているため、大きなモップを扱うような場合には、かえって滑らせにくく、取り扱いしにくいという構造上の問題があった。
【０００５】
本発明はこれらの課題を解決すべくなされたものであり、小型のモップはもちろんのこと、オフィスや工場等で使用される大型の業務用のモップ等の清掃用品であっても、簡単に処理することができ、取り扱いやすくかつ効率的なごみとりができるごみとり器を提供することを目的とする。
【課題を解決するための手段】
【０００６】
上記目的を達成するため、本発明は次の構成を備える。
すなわち、清掃用品に付着したごみを取り除くごみとり器であって、平坦状に形成され、ごみを吸い込む吸い込み口が形成された主パネルと、該主パネルの裏面に、該主パネルとは別部品として、前記吸い込み口を囲む配置に、脱着可能に取り付けられたごみ収納ボックスと、該ごみ収納ボックスに連通して設けられ、電気掃除機の吸引ホースに接続される接続パイプとを備えていることを特徴とする。
【０００７】
また、前記ごみとり器の主パネルとごみ収納ボックスと接続パイプとが、移動用のキャスターが取り付けられた下部枠に装着され、該下部枠の上部に、前記主パネルと離間した配置に前記電気掃除機を搭載する上部枠が取り付けられていることにより、電気掃除機とともにごみとり器を任意の位置に移動して、モップ等の清掃用品のごみとりをすることができる。
【０００８】
また、前記吸い込み口は、前記主パネルの前後方向を長手方向とするスリット状に開口して設けられていることにより、清掃用品のごみとりを効果的に行うことができる。
また、前記吸い込み口は、前記主パネルの裏面にスライド可能に取り付けられたスライド板により、開口度が可変に設けられていること、また、前記吸い込み口に、脱着可能に該吸い込み口の開口度を調節する遮蔽板が装着されていることにより、清掃用品等に合わせて吸い込み口の開口度を適宜調節してごみとりすることができる。
【０００９】
また、前記主パネルの両側縁の一方または双方に、補助パネルが取り付けられていることにより、業務用等の大型のモップ等の清掃用品についても容易にごみとりすることができる。
また、前記補助パネルが、前記主パネルに回動可能に取り付けられていることによりごみとり器をコンパクトにして持ち運びしたり、収納したりすることができる。
また、前記主パネルの前部に、手前側が低位となるスロープを形成する補助パネルが取り付けられていることにより、清掃用品のごみとり操作がさらに容易にできる。
【００１０】
また、前記接続パイプが、前記主パネルの上面に取り付けられていることにより、ごみとり器本体の高さを低くすることができ、モップ等の清掃用品を主パネル上で動かしてごみとりする作業を容易に行うことができる。
また、前記接続パイプが、前記ごみ収納ボックスの側面に取り付けられていることにより主パネルの上面全体をモップ等の清掃用品を滑らせて動かす領域とすることができ、大型のモップ等の清掃用品のごみとりを好適に行うことができる。
また、前記主パネルに、ごみとり器を持ち運び込みする取っ手が、主パネルを起立させた状態で支持するスタンド兼用として取り付けられていることにより、ごみとり器の持ち運びおよび収納が容易になる。
【発明の効果】
【００１１】
本発明に係るごみとり器によれば、主パネルの上でモップ等の清掃用品を動かして清掃用品に付着したごみを容易に取り除くことができ、モップ等の清掃用品を用いた清掃作業を容易に行うことができる。とくに、主パネルの裏面に、吸い込み口を囲む配置に、接続パイプに連通させてごみ収納ボックスを取り付けたことにより、吸い込み口からのエア吸引作用を的確に作用させ、ごみ収納ボックス以外の主パネルの裏面等にごみが付着することを防止し、取り扱いやすいごみ収納ボックスとして提供することができる。
【発明を実施するための最良の形態】
【００１２】
以下、本発明に係るごみとり器のいくつかの実施の形態について添付図面とともに詳細に説明する。
（第１の実施の形態）
図１は、本発明に係るごみとり器の第１の実施の形態の構成を示す斜視図である。
本実施の形態のごみとり器１０は、モップ等のごみとり対象物である清掃用品をその上面で滑らせる主パネル１２の前部にスロープ部１４を設け、主パネル１２の側縁に沿って側面部１６を設け、主パネル１２の後部に取っ手１８と、主パネル１２に接続パイプ２０を取り付けて構成されている。
【００１３】
主パネル１２の前部に形成されたスロープ部１４は、主パネル１２の前縁から前側にかけてなだらかに低位となるように傾斜して設けられている。スロープ部１４の前縁部１４ａは、フロア等にごみとり器１０を設置した際に、設置面にぴったりと接するように平坦部として形成されている。
主パネル１２には、主パネル１２の前後方向（主パネル１２のスロープ部１４を設けた側を前側とする）に長手となるスリット状の吸い込み口１１が開口して設けられている。吸い込み口１１には、細長の板状に形成した遮蔽板を装着して吸い込み口１１の開口面積を調節することが可能である。吸い込み口１１の調節方法については後述する。
【００１４】
本実施形態のごみとり器１０は、ごみとり器１０をフロア等に設置した際に、主パネル１２と設置面との距離が接近するように、ごみとり器１０の高さをできるだけ低く設定している。本実施形態のごみとり器１０の本体の高さは約２ｃｍである。側面部１６は前後方向で同一高さとし、ごみとり器１０を設置した際に主パネル１２が設置面と平行になるようにしている。
主パネル１２はモップ等の清掃用品に付着したごみを取り除く際に、その上面に対象物を接触させながら滑らすようにして動かす支持台の作用をなす。主パネル１２の大きさは適宜設定することが可能であるが、本実施形態のごみとり器１０の主パネル１２は、横幅約４０ｃｍ、前後幅約３５ｃｍに形成した。
【００１５】
主パネル１２の後部に取り付けた取っ手１８は、ごみとり器１０を持ち運びする際に把持する作用と、ごみとり器１０を立てて収納する際にスタンドとして使用するためのものである。本実施形態では、主パネル１２の後部に、側面形状がコの字形に取っ手１８を取り付け、接続パイプ２０の回転範囲と干渉しないように左右に離間させて配置した。
主パネル１２およびスロープ部１４、側縁部１６は所定の強度と耐久性を備える必要がある。本実施形態では、これらを鉄板によって形成したから、ごみとり器１０の全重量が比較的重くなっている。取っ手１８を堅固に形成しているのは、持ち運びが確実にできるようにするためである。強化プラスチック等の所要の強度および耐久性を備え、かつ軽量材によって主パネル１２等を形成すれば、取っ手１８の構造を簡略化することは可能である。
【００１６】
接続パイプ２０は、電気掃除機の吸引ホースに接続して用いられる。接続パイプ２０は主パネル１２の平面に回転自在に装着され、吸引ホースが接続される先端側がやや縮径する形態に形成される。これによって、接続パイプ２０は、市販されている電気掃除機の吸引ホースに共通に接続することができる。
【００１７】
図２は、図１に示すごみとり器１０を底面側から見た状態を示す。主パネル１２は裏面側についても平坦面に形成されている。主パネル１２の側縁部に沿って側面部１６が設けられ、取っ手１８は後部が主パネル１２の後端縁から突出する。
ごみとり器１０の底面側の構成において特徴的な構成は、主パネル１２の裏面に、吸い込み口１１を囲う配置に、かつ接続パイプ２０に連通する平面配置に、ごみ収納ボックス２２を取り付けたことにある。
【００１８】
ごみ収納ボックス２２は、吸い込み口１１と接続パイプ２０とを連通させる作用をなすもので、主パネル１２の裏面の全面を覆うように設ける必要はない。本実施形態では、ごみ収納ボックス２２を長方形状に形成している。ごみ収納ボックス２２はプラスチック製である。
ごみ収納ボックス２２の両側縁には細幅のフランジ部２２ａ、２２ｂが設けられ、一方のフランジ部２２ａは、主パネル１２の裏面に取り付けられた支持部１７と主パネル１２の裏面との隙間に差し込まれ、他方のフランジ部２２ｂは回動片２４ａ、２４ｂによって主パネル１２に係止される。これによって、ごみ収納ボックス２２が主パネル１２の裏面に脱着可能に取り付けられる。
【００１９】
図３に、主パネル１２の裏面にごみ収納ボックス２２が取り付けられた状態を側断面図として示す。収納ボックス２２は、ごみとり器１０の本体の高さ内に収容するため、浅い箱状（上面が開口する）に形成されている。
接続パイプ２０は主パネル１２の上面の後部側に、連結部２１により主パネル１２に抜け止めし、回動自在に取り付けられている。接続パイプ２０の基部開口部２０ａは、主パネル１２に設けた開口を介して、ごみ収納ボックス２２の内部空間に連通する。
主パネル１２の裏面の後部側には、ごみとり器１０を滑り止めして設置するための足ゴム２８が取り付けられている。図２に示すように、足ゴム２８は主パネル１２の左右に１個ずつ取り付けられている。
【００２０】
また、主パネル１２の前部に設けられたスロープ部１４の裏面（下面）には側面形状がＬ字形の補強アングル１４ｂが、スロープ部１４の長手方向の略全長にわたって設けられている。この補強アングル１４ｂは、ごみとり器１０を移動する際に手を引っ掛けて簡単に支持できるように設けられている。
【００２１】
また、図３に示すように、取っ手１８の後部支持部１８ａは、主パネル１２の面に垂直となる方向に対して角度θ（４〜５°）傾斜して設けられている。後部支持部１８ａを傾斜させているのは、取っ手１８を下側にしてごみとり器１０を立てたときに、主パネル１２が鉛直面に対して若干傾いた状態で起立するようにし、これによってごみとり器１０の起立状態が安定するようにするためである。
【００２２】
図４は、主パネル１２の裏面に設けた、吸い込み口１１の開口面積を可変にする構成を示す。主パネル１２には所定の大きさの長方形状の吸い込み口１１があらかじめ形成されている。
主パネル１２の裏面には吸い込み口１１の長手方向の両端に、ガイド板２５ａ、２５ｂが主パネル１２の裏面と若干の隙間をあけて固定されている。このガイド板２５ａ、２５ｂと主パネル１２の裏面との間に、吸い込み口１１の長手方向に直交する向き（幅方向）にスライド自在にスライド板２６が装着されている。スライド板２６の幅方向の中央には、吸い込み口１１と同形に開口する開口部２６ａが設けられる。
【００２３】
ガイド板２５ａ、２５ｂには、主パネル１２に対してスライド板２６を所定位置で係止する操作ネジ２７が設けられている。図３に、ガイド板２５ａ、２５ｂと操作ネジ２７を示す。
スライド板２６は、ガイド板２５ａ、２５ｂに沿って幅方向に移動させてスライド板２６が吸い込み口１１を遮蔽する範囲（重複する範囲）を変えることにより、吸い込み口１１の開口面積を拡縮させるように使用される。
図４に示すように、ガイド板２５ａ、２５ｂおよびスライド板２６は、ごみ収納ボックス２２が取り付けられる平面領域内に配置される。
なお、本実施形態ではスライド板２６に設ける開口部２６ａを吸い込み口１１と同形の長方形としたが、スライド板２６は吸い込み口１１の開口度を調節するためのものであり、スライド板２６およびスライド板２６に設ける開口部２６ａの形状は図４に示す例に限定されるものではなく、適宜選択可能である。
【００２４】
本実施形態のごみとり器１０は、次のようにして用いられる。
まず、ごみとり器１０をフロア等の適宜場所に置く。主パネル１２の裏面にはごみ収納ボックス２２を取り付けておく。ごみとり器１０の接続パイプ２０に電気掃除機の吸引ホースを接続する。
電気掃除機の電源を入れ、電気掃除機で吸引した状態とする。モップを用いてフロアを清掃しながら、適宜、ごみとり器１０の上にモップを滑らせて移動させ、主パネル１２上でモップを左右に滑らせるようにしてごみとりする。主パネル１２の前部がスロープ部１４に形成され、前縁部１４ａは設置面にぴったりと接しているから、モップを動かしながら掃除している操作のまま、主パネル１２の上にモップをすべらせるようにして移動させることができ、操作が効率的である。
【００２５】
吸い込み口１１は主パネル１２の前後方向が長手となるように開口するから、モップを吸い込み口１１に交差するように動かしてごみとりする。モップに付着したごみは、吸い込み口１１から吸引されて電気掃除機に吸い取られる。吸い込み口１１と交差するようにモップを動かすことによって、、吸い込み口１１の縁部でモップがしごかれ、これによって、モップにからまったごみも取り除かれる。主パネル１２上でモップを左右に動かす操作は、モップを前後方向に動かす操作にくらべて、移動範囲を広くとることができ、効率的なごみとりが可能である。
ごみとり対象の清掃用品に応じて、スライド板２６を動かして吸い込み口１１の開口面積を変えて、ごみとりの吸引力を調節するとよい。
【００２６】
本実施の形態では、吸い込み口１１が主パネル１２の左右中央位置よりも若干左側に偏位した位置に設けている。これは、モップ等の清掃用品を主パネル１２にのせた際に、モップの端部に吸い込み口１１が位置するようにし、モップを動かした際にモップの端から端まで効率的にごみとりできるようにするためである。吸い込み口１１の開口位置を左右中央位置よりも右側に偏位させた場合も同様である。
主パネル１２の裏面に取り付けられたごみ収納ボックス２２は、吸い込み口１１がスリット状に開口することによって、電気掃除機による吸引力がごみとり対象物に集中的に作用する効果に加え、吸い込み口１１と接続パイプ２０との吸引流路を確保することによって、より確実にごみを吸引することができる。
【００２７】
モップから吸引されたごみはごみ収納ボックス２２を経由して接続パイプ２０から電気掃除機に吸い取られる。したがって、ごみ収納ボックス２２にはごみがたくさんたまることはない。ごみ収納ボックス２２は、吸い込み口１１の開口度を調節したり、ごみ収納ボックス２２に吸い込まれた石などを取り除く際に、必要に応じて脱着すればよい。
本実施形態のように、主パネル１２の裏面にごみ収納ボックス２２を取り付け、吸い込み口１１と接続パイプ２０との流路を外部から遮蔽するようにすると、主パネル１２の裏面など、外部に露出している部位が汚れないという利点がある。
【００２８】
なお、ごみ収納ボックス２２は、吸い込み口１１と接続パイプ２０とを接続するエア流路となるから、ごみ収納ボックス２２の縁部と主パネル１２の裏面との間に隙間が生じないように取り付けるのが効率的であるが、電気掃除機の吸引力はかなり強いから、ごみ収納ボックス２２を取り付けた状態で、主パネル１２の裏面との間に少々隙間が生じても実際の使用上は問題はない。
【００２９】
また、本実施形態のごみとり器１０は、図１に示すように設置面にできるだけ近づけた状態に設置されるから、モップ等のごみとり対象物を主パネル１２上に移動させる操作が簡単にできるという利点がある。主パネル１２の手前側がスロープ部１４になっているから、ごみとり器１０の手前からモップを主パネル１２の上に滑らせてのせるようにすることができる。また、主パネル１２の高さが低いから、モップを左右に移動させた際にモップが主パネル１２から側方にはみ出しても、モップを動かす操作の支障になることはない。これによって、家庭用のモップはもちろん、業務用のモップについても、モップに付着したごみを簡単に取り除くことができる。
使用後は、ごみとり器１０を収納場所に移動してもよいし、薄形で邪魔にならないから、所定位置に起立させて置いておくこともできる。本実施形態では、取っ手１８がスタンドとして利用でき、安定した状態でごみとり器１０を置くことができる。また、起立した状態で置いておくことによって省スペースともなる。
【００３０】
（第２の実施の形態）
図５は、本発明に係るごみとり器についての第２の実施の形態を示す。本実施の形態のごみとり器３０は、第１の実施の形態における主パネル１２の側方に補助パネル３２を取り付け、モップ等のごみとり対象物の操作スペースを拡大した構成としたことを特徴とする。
本実施形態における主パネル１２部分の構造は第１の実施の形態における構成と同一である。すなわち、主パネル１２の上面に前後方向に長手となる吸い込み口１１を設け、主パネル１２の裏面にごみ収納ボックス２２を設け、ごみ収納ボックス２２に連通して接続パイプ２０を取り付けている。
【００３１】
補助パネル３２は主パネル１２の一方の側縁にヒンジ３５により開閉可能に取り付けられ、ごみとり器３０を使用しない際には、補助パネル３２を主パネル１２上に折りたたんでおくことが可能となっている。補助パネル３２の後部側に切欠部３２ａを設けているのは、補助パネル３２を折りたたむ際に、取っ手１８に補助パネル３２が干渉しないようにするためである。
なお、本実施形態では主パネル１２の一方の側縁のみに補助パネル３２を設けたが、主パネル１２の他方の側縁にも補助パネルを取り付けることも可能であり、また、主パネル１２の前縁にさらに別の補助パネルを取り付ける構成とすることもできる。
【００３２】
（第３の実施の形態）
図６は、本発明に係るごみとり器についての第３の実施の形態を示す。本実施の形態のごみとり器４０は、図５に示すごみとり器３０よりもさらに大型に形成されている。すなわち、主パネル１２を平面形状で左右に長い長方形状に形成するとともに、主パネル１２の長手方向の両側部に第１の補助パネル３３ａと第２の補助パネル３３ｂとを連結し、主パネル１２の前縁部に第３の補助パネル３３ｃを取り付けて構成されている。
【００３３】
第１の補助パネル３３ａと第２の補助パネル３３ｂは、主パネル１２の側縁に回動可能に取り付けられ、ごみとり器４０を使用しないときには、主パネル１２上に折り返して収納することができる。第１、第２の補助パネル３３ａ、３３ｂと主パネル１２とはリンクによって結合され、主パネル１２上に第１、第２の補助パネル３３ａ、３３ｂを容易に折り返すことができ、また水平に開いた状態で、第１、第２の補助パネル３３ａ、３３ｂと主パネル１２とがぴったりと水平面で連結するように設けている。
【００３４】
図６（ｂ）に、第１の補助パネル３３ａと第２の補助パネル３３ｂを開いた状態を正面方向から見た状態を示す。第１の補助パネル３３ａと第２の補助パネル３３ｂの端部には支持脚３３１が回動可能に取り付けられ、第１の補助パネル３３ａと第２の補助パネル３３ｂを開いて、支持脚３３１を立てた状態で、主パネル１２と第１、第２の補助パネル３３ａ、３３ｂの上面が平坦面となるように形成されている。
主パネル１２の４つのコーナー部近傍の裏面には、足ゴム２８ａ、２８ｂ、２８ｃ、２８ｄが取り付けられ、主パネル１２は足ゴム２８ａ〜２８ｄによって支持される。
【００３５】
図７は、第３の補助パネル３３ｃを主パネル１２に取り付けた状態を側面方向から見た状態を示す。第３の補助パネル３３ｃは、図のように主パネル１２の前部に、手前側が低位となるスロープ状に取り付けられる。主パネル１２の前部には第３の補助パネル３３ｃに設けられたフック部３３２を係止する差し込み部１２１が設けられている。第３の補助パネル３３ｃは、フック部３３２を差し込み部１２１に係止させるようにして、主パネル１２に脱着可能に取り付けられる。
こうして、本実施形態のごみとり器４０では、主パネル１２および第１、第２の補助パネル３３ａ、３３ｂによって、モップ等のごみとり対象物を動かすためのスペースを左右方向に広く確保することができ、ごみとり器４０の前部側では第３の補助パネル３３ｃによって広いスロープ部が確保される。
【００３６】
図６（ａ）に示すように、主パネル１２には、前述した各実施形態と同様に主パネルの前後方向に細長となるごみの吸い込み口１１が設けられる。前述した実施の形態では、吸い込み口１１が主パネル１２の左右中央位置よりも左右どちらかに偏位して設けたが、本実施形態では主パネル１２の左右中央位置に吸い込み口１１が設けられている。本実施形態のごみとり器４０は業務用等の大型のモップなどのごみとりに使用するから、主パネル１２の左右中央に吸い込み口１１を配置して、吸い込み口１１の左右のどちら側からモップを滑らせてもよいようにしたものである。
【００３７】
図８に、吸い込み口１１の構成を拡大して示した。吸い込み口１１は単なる細長に開口させて設けてもよいが、吸い込み口１１に遮蔽板を脱着可能とし、遮蔽板の装着枚数を選択することによって吸い込み口１１の開口面積を調節する構成とすることもできる。
図８（ａ）は、吸い込み口１１の長手方向の両端部に設けた遮蔽板の装着部１１ａに、３枚の遮蔽板１１０を装着した例、図８（ｂ）は、１枚の遮蔽板１１０を装着した例を示す。遮蔽板１１０は、薄い細長の板状に形成した部材であり、装着部１１ａには遮蔽板１１０を嵌入する溝が形成されている。遮蔽板１１０は溝に落とし込むようにして装着することができ、図８（ａ）に示すように、遮蔽板１１０を３枚装着した場合が、最も吸い込み口１１の開口面積が絞られた形態となる。
【００３８】
本実施形態のように、吸い込み口１１に遮蔽板１１０を脱着可能に装着する構成とすることによって、簡単に吸い込み口１１の開口面積を調節することができ、ごみとり対象物の清掃用品に応じて吸い込み口１１の開口面積を調節してごみとりすることができる。また、吸い込み口１１に遮蔽板１１０を装着すると、吸い込み口１１の開口部が凹凸面的になり、モップを動かした際に、遮蔽板１１０の角部分でモップがしごかれ、モップにからまったごみが掻き取られやすくなるという作用が生じる。
【００３９】
本実施の形態においても、前述した各実施形態と同様に、図６（ｂ）に示すように、主パネル１２の裏面に、吸い込み口１１および接続パイプ２０に連通する配置にごみ収納ボックス２２が取り付けられている。本実施形態では、主パネル１２の後部側の側面に接続パイプ２０を取り付ける構造とした。したがって、接続パイプ２０はごみ収納ボックス２２の後部側面に連通する配置となっている。図７に、主パネル１２の下面にごみ収納ボックス２２が配置された状態の側面図を示す。
【００４０】
本実施形態のごみとり器４０は、モップ等のごみとり対象物を滑らせるパネルを広い面積として確保することによって業務用のような大型のモップであってもごみとりできるようにしたこと、主パネル１２の前部にスロープ部を設けたことによって、モップをスロープ部から滑らせるようにして主パネル１２上に移動させることができること、ごみ収納ボックス２２を設けることによって電気掃除機による吸引力が効果的に作用するようにしたこと、第１、第２の補助パネル３３ａ、３３ｂを折り返し式とし、第３の補助パネル３３ｃを脱着式としてコンパクトに構成して収納や持ち運びが簡単にできるようにしたこと等の特徴を有する。
【００４１】
なお、本実施形態においては、図６（ａ）に示すように、主パネル１２の後部側面にスタンド２９ａ、２９ｂを取り付けた。このスタンド２９ａ、２９ｂはごみとり器４０を収納する際に、ごみとり器４０を立てて収納するためのものである。スタンド２９ａ、２９ｂは主パネル１２の平面と平行になる向きと、主パネル１２の平面に直交する向きとの間で回動可能に設けられ、ごみとり器４０を立てて収納する際には、スタンド２９ａ、２９ｂを主パネル１２の向きと直交する向きとして、主パネル１２を起立させた状態で置くことができる。
【００４２】
（第４の実施の形態）
図９、１０は、本発明に係るごみとり器についての第４の実施の形態を示す。本実施の形態のごみとり器５０は、ごみとり器５０を移動可能に設け、ごみとり器５０とともに電気掃除機６０を移動可能に形成したことを特徴とする。
ごみとり器５０とともに電気掃除機６０を移動可能にするため、下部枠５２にごみとり器５０の本体部分が取り付けられ、上部枠５４に電気掃除機６０が搭載される。
【００４３】
図９は、ごみとり器５０に電気掃除機６０を搭載した状態の正面図、図１０は側面図である。図１０に示すように、下部枠５２は水平アーム５２ａと横アーム５２ｃからなる水平枠と、水平アーム５２ａの後部に立設された縦アーム５２ｂとを備える。上部枠５４は水平アーム５４ａと横アーム５４ｃからなる水平枠と水平枠の四隅に立設された縦アーム５４ｂとを備える。
上部枠５４の水平枠は下部枠５２の水平枠から２０ｃｍ程度上方に配置される。上部枠５４の水平枠には支持板が取り付けられ、支持板上に電気掃除機６０が搭載される。
【００４４】
下部枠５２の水平枠には移動用のキャスター２９が取り付けられている。また、下部枠５２の水平枠には、ごみとり対象物をすべらせる主パネル１２と、主パネル１２の側部に配置される第１の補助パネル３４ａと、主パネル１２の前部に配置される第２の補助パネル３４ｂが取り付けられる。なお、図では主パネル１２の一方の側縁のみに第１の補助パネル３４ａを取り付けた状態を示したが、第１の補助パネル３４ａは主パネル１２の両側縁部に取り付けられる。第１の補助パネル３４ａは水平枠の側縁部に回動可能に取り付けられ、ごみとり器５０を移動する際には上側に回動させた状態とし、使用時には側方に開いた状態で支持脚３４１により主パネル１２と同一高さに支持されるように設けられる。第２の補助パネル３４ｂは、下部枠５２の水平枠の前部にゴム３４２を介して取り付けられ、前側に倒した状態で斜めのスロープ状になる。ゴム３４２によって第２の補助パネル３４ｂを取り付けたことにより、主パネル１２に滑らかに第２の補助パネル３４ｂが連結される。不使用時には、第２の補助パネル３４ｂは上にはねあげておけばよい。
【００４５】
主パネル１２の左右中央位置には吸い込み口１１が設けられ、吸い込み口１１には前述した遮蔽板１１０が脱着可能に装着されている。
主パネル１２の裏面（下面）には吸い込み口１１を覆うように、ごみ収納ボックス２２が取り付けられ、ごみ収納ボックス２２の側面に接続パイプ２０が接続されている。接続パイプ２０には、上部枠５４に支持された電気掃除機６０の吸引ホースが接続される。
【００４６】
本実施形態のごみとり器５０は、上部枠５４に搭載した電気掃除機６０と接続パイプ２０とを接続し、電気掃除機６０を動作させた状態で、主パネル１２上までモップ等の清掃用品を滑らせるようにして移動させ、主パネル１２上でモップ等のごみとり対象物を左右に動かしてごみとりする。主パネル１２の前部に第２の補助パネル３４ｂを取り付けたことによって、モップを動かしながら、モップとともにごみを主パネル１２上まで移動させることができ、簡単にモップに付着したごみを取り除くことができる。清掃作業の際に随時モップからごみとりすることによって、効率的なごみとりが可能となる。
なお、本実施形態のごみとり器５０では、上部枠５４の水平枠の下面にセンサ（不図示）が設けられ、モップが主パネル１２上に移動してきた際にモップを検知して、自動的に電気掃除機６０の電源がONとなるように設定されている。清掃作業中に連続的に電気掃除機６０を作動させてごみとりすることももちろん可能であるが、オフィス等を清掃する際に、モップ作業に応じて自動的に電気掃除機６０が作動するようにすると、効率的で作業の無駄を省くことができるという利点がある。
【００４７】
また、本実施形態では、上部枠５４に電気掃除機６０が搭載される形態とし、キャスター２９によってごみとり器５０を移動可能としたから、電気掃除機とともにごみとり器５０を移動させながら、モップ等の清掃用品を用いた清掃作業を行うことができる。オフィスや工場などを清掃する際には、広い範囲にわたって清掃しなければならないから、ごみとり器５０を適宜移動しながら、モップ等から随時ごみとりできるようにすることは、清掃作業を効率的に行う上で有効である。
【００４８】
また、本実施形態では、じゅうたん等を清掃する場合に電気掃除機６０のみを用いて清掃できるように、上部枠５４の水平枠の下側に電気掃除機６０の本体に取り付ける吸引ホース他のアタッチメントを収納する収納部５５を設けている。じゅうたんを清掃するような場合には、この収納部５５に収納されているアタッチメントを電気掃除機６０の本体に付け替えて清掃する。電気掃除機６０をキャスターで移動させながら清掃することによって、この場合も効率的な清掃が可能である。
【図面の簡単な説明】
【００４９】
【図１】ごみとり器の第１の実施の形態の構成を示す斜視図である。
【図２】ごみとり器の第１の実施の形態の構成を示す底面図である。
【図３】ごみとり器の第１の実施の形態の構成を示す断面図である。
【図４】ごみとり器の吸い込み口の開口面積を可変にする構成を示す主パネルの裏面図である。
【図５】ごみとり器の第２の実施の形態の構成を示す平面図（ａ）および正面断面図（ｂ）である。
【図６】ごみとり器の第３の実施の形態の構成を示す平面図（ａ）および正面断面図（ｂ）である。
【図７】ごみとり器の第３の実施の形態の構成を示す側面断面図である。
【図８】ごみとり器の吸い込み口の構成を示す平面図である。
【図９】ごみとり器の第４の実施の形態の構成を示す正面図である。
【図１０】ごみとり器の第４の実施の形態の構成を示す側面図である。
【符号の説明】
【００５０】
１０、３０、４０、５０  ごみとり器
１１  吸い込み口
１２  主パネル
１４  スロープ部
１８  取っ手
２０  接続パイプ
２２  ごみ収納ボックス
２４ａ、２４ｂ  回動片
２５ａ、２５ｂ  ガイド板
２６  スライド板
２８、２８ａ、２８ｂ、２８ｃ、２８ｄ  足ゴム
２９  キャスター
２９ａ、２９ｂ  スタンド
３２、３３ａ、３３ｂ、３３ｃ、３４ａ、３４ｂ  補助パネル
５２  下部枠
５４  上部枠
６０  電気掃除機
１１０  遮蔽板
【図１】
2008154826.tif 000003
【図２】
2008154826.tif 000004
【図３】
2008154826.tif 000005
【図４】
2008154826.tif 000006
【図５】
2008154826.tif 000007
【図６】
2008154826.tif 000008
【図７】
2008154826.tif 000009
【図８】
2008154826.tif 000010
【図９】
2008154826.tif 000011
【図１０】
2008154826.tif 000012